(57)【要約】      （修正有）【課題】中間位置で冷水供給可能なセラミックバルブを提供する。【解決手段】セラミックバルブＡは、回転駆動台２０の内台座２１底部の片側にある凸部８１、及び連動台７０頂面の片側にある凹部８２を備えてなるオフセット型回転支点部８０が備わり、該凸部８１は可動で、凹部８２内に嵌め込まれるように設けられ、該オフセット型回転支点部８０は、ブレーキ弁棒３０の所定の中間位置の揺動方向に垂直な延長線の片側に設置し、該オフセット型回転支点部８０の位置を、固定弁体５０の冷水通過孔５１の位置と同じ側にするように設けられていることを特徴とし、該ブレーキ弁棒３０は所定の中間位置より、垂直角度の止水モードから、傾斜角度の給水モードへ揺動していく間、回転弁体６０がカーブ状に移動し、流量制御切込部６１が冷水通過孔５１のみに通じるように導かれ、中間位置で冷水供給が可能になる。【選択図】図２
0003195941.tif 000002
【実用新案登録請求の範囲】
【請求項１】
中空円筒状で、頂部開口１１と底部開口１２を備えてなり、該頂部開口１１に縮径リング１３が設置される筐体１０、
内台座２１及び内台座２１にある対称した縮径状の凸管部２２を備えてなる回転駆動台２０が備わり、該内台座２１は、筐体１０内部にある頂部開口１１の一端に近接するように設けられ、凸管部２２は、上へと筐体１０の縮径リング１３を通って回転できるように設けられ、回転駆動台２０の中央には、貫通した縦向き弁棒収納孔２３があり、
回転駆動台２０の弁棒収納孔２３に取り付けられた回転支軸３１によって、限定位置で縦向きに揺れ動くように設けられるブレーキ弁棒３０が備わり、該ブレーキ弁棒３０の下端には、回転駆動台２０の内台座２１の下方に突き出されたトグルヘッド３２、ブレーキ弁棒３０の上端には、回転駆動台２０の凸管部２２に突き出されたハンドル駆動部３３が設置され、
筐体１０の底部開口１２に取付け、固定された台座４０が備わり、該台座４０は、三角形に配置された冷水導入孔４１、お湯導入孔４２と吐水導孔４３を備えてなり、
台座４０の頂面に取付け、固定された固定弁体５０が備わり、それぞれ、台座４０の冷水導入孔４１、お湯導入孔４２と吐水導孔４３の位置に対応して通じるように、三角形に配置された冷水通過孔５１、お湯通過孔５２と吐水通過孔５３を備えてなり、
固定弁体５０の頂面に配置され、回転移動可能な回転弁体６０が備わり、該回転弁体６０は回転弁体６０の回転移動に応じて、固定弁体５０の冷水通過孔５１、お湯通過孔５２、吐水通過孔５３の間とは、異なる穴位置を合わせるための流量制御切込部６１が設けられ、
回転弁体６０と連動するように、回転弁体６０の頂面に取付け、固定され、そして回転駆動台２０の内台座２１下方に設置された連動台７０が備わり、該連動台７０の頂面には、ブレーキ弁棒３０下端のトグルヘッド３２が挿入、揺れ動けるように凹設された受動槽７１が設けられ、
回転駆動台２０の内台座２１底部の片側にある凸部８１、及び連動台７０頂面の片側にある凹部８２を備えてなるオフセット型回転支点部８０が備わり、該凸部８１は可動で、凹部８２内に嵌め込まれるように設けられており、該オフセット型回転支点部８０は、ブレーキ弁棒３０の所定の中間位置の揺動方向に垂直な延長線の片側に設置、該オフセット型回転支点部８０の位置を、固定弁体５０の冷水通過孔５１の位置と同じ側にするように設けられていることを特徴とする中間位置で冷水供給可能なセラミックバルブ。
【請求項２】
該ブレーキ弁棒３０は中間位置より、垂直角度から傾斜角度へ揺動していく間、ブレーキ弁棒３０下端のトグルヘッド３２が筐体の中心点から離れたところから、筐体の中心点へと近づき、直線状に移動するように設けられることを特徴とする請求項１に記載の中間位置で冷水供給可能なセラミックバルブ。
【請求項３】
連動台７０に設置される該オフセット型回転支点部８０の凹部８２は矩形槽で、内台座２１に設置される凸部８１は三角形、円形、矩形、多角形のバンプのいずれかの一つに設けられることを特徴とする請求項２に記載の中間位置で冷水供給可能なセラミックバルブ。
【請求項４】
該回転弁体６０にある流量制御切込部６１は、上下に貫通した穴で、該連動台７０底面に対応するための回転弁体６０の流量制御切込部６１外周に設けられた止水リング９０と回転弁体６０との間を密閉させ、流量制御切込部６１に止水、漏えい防止を持たせるように設けられていることを特徴とする請求項３に記載の中間位置で冷水供給可能なセラミックバルブ。
【請求項５】
該連動台７０底面に対応するための回転弁体６０にある流量制御切込部６１の一箇所には更に、下向きに伸された一本または一本以上ある、水流による衝撃音を低減させるための整流リブ６１５が設けられていることを特徴とする請求項４に記載の中間位置で冷水供給可能なセラミックバルブ。
【考案の詳細な説明】
【技術分野】
【０００１】
本考案はセラミックバルブに関わり、特に中間位置で冷水供給可能なオリジナルなセラミックバルブ構造形態に関する。
【背景技術】
【０００２】
近年、関連業界や使用者では、冷水とお湯の混合水栓（以下、混合水栓といい）の使用上安全性に対する関心が高く、大変重要視され、その中で「熱傷防止」が重要な一環となっている。そのため、ここの数年間、関連業界で、各種の熱傷防止機能を有する混合水栓構造形態が次々と開発された。
【０００３】
従来の混合水栓では構造形態的に、ハンドルは通常、中間位置に設置され、そこで、ハンドルを上へ動かすと、設定温度になる水、即ち冷水でない、冷水とお湯の混ざる水が流れてくることになっている。このような混合水栓の設計はかなり長い間、使用されてきたが、このような構造形態を見て、幾つかの問題点があるが、ハンドルを上に動かすと、冷水供給モードになる混合水栓の使用はまず、ハンドルを冷水モードの位置に回して、更にそれを上に動かすという正しい操作が行われるが、熱傷防止機能の設計に関して、熱傷発生を確実に防ぐため、より行き届いた設計を考慮に入れ、行わなければならないこと、例えば、使用者（幼児、年寄りなど）が不注意や気付かないまま、中間位置にある従来の混合水栓のハンドルを上へ動かした場合、通常は冷水とお湯の混ざる温水状態になるはずだが、実際使用のとき、不確定な要素が存在し、例えば冷水側の水圧が低いなどで、実際はお湯モードになってしまい、そうなると、熱湯によるやけどが起こる危険があること、そして、混合水栓のハンドルを、左右に僅かな数度だけを動すと、温水モードとお湯モードの切り替えになっており、そこで、使用者がハンドルを少し動かしたり、それにぶつかりしたりすると、お湯モードになってしまう恐れがあり、それも熱傷原因の一つになること、その上、使用者が中間位置からハンドルを上へ動かしたとき、冷水やお湯の通水路はいずれも、一部分のみが開放されており、そこで、水圧不足などで、ガス湯沸器が点火するレベルに達せず、ガス漏れが発生したりしがちである。
【０００４】
また、上述した従来の混合水栓は、ハンドルを元の位置に戻す場合、使用者がそれを片方の冷水側に戻してもよいが、そうすると、今度、再び使用するとき、ハンドルをそのまま上へ動かすだけで、冷水が供給される。ところが、使用の現状を総合的に見ると、見た目のよさをバランスよく考慮して、使用者は蛇口を閉めるとき、通常は、ハンドルを中間位置に戻すようにするのが多く、特に、接客サービスや顧客満足度を重視するホテル、民宿などのような商業施設では部屋掃除係に対して、部屋内の浴室を掃除しているとき、通常、混合水栓のハンドルを中間位置まで戻すように要求されており、それに対して、混合水栓のハンドルを元の位置に戻すという習慣を、一般の人々に身に付けさせるのが大変困難であること、上述した問題点を解決するためには、混合水栓内のセラミックバルブ構造設計を改良するのが、より理想的でかつ実施可能なソリューションだと思われる。
【０００５】
それゆえ、上述した従来の混合水栓構造に存在する問題点を解決するため、より理想的で実用性のあるオリジナルな構造を開発するのが使用者が望むことで、関連業者が努力して開発するべき目標と方向でもある。
【０００６】
それを鑑みて、考案者は関連製品の製造開発と設計に携わる長年の経験を持っており、上述した目標について詳しく設計、評価したうえ、ようやく実用性のある本考案を得られたわけである。
【考案の概要】
【考案が解決しようとする課題】
【０００７】
本考案は、中間位置で冷水供給可能なセラミックバルブを提供することを目的とし、解決しようとする技術的課題は、より理想的で実用性のあるオリジナルなセラミックバルブを開発することにある。
【課題を解決するための手段】
【０００８】
中空円筒状で、頂部開口と底部開口を備えてなり、該頂部開口に縮径リングが設置される筐体、内台座と凸管部を備えてなる回転駆動台が備わり、該内台座は筐体内部にある頂部開口の一端に近接するように設けられ、凸管部は、上へと筐体の縮径リングを通って回転できるように設けられ、回転駆動台の中央には、貫通した縦向き弁棒収納孔があり、回転駆動台の弁棒収納孔に取り付けられた回転支軸によって、限定位置で縦向きに揺れ動くように設けられるブレーキ弁棒が備わり、該ブレーキ弁棒の下端には、回転駆動台の内台座の下方に突き出されたトグルヘッド、ブレーキ弁棒の上端には、回転駆動台の凸管部に突き出されたハンドル駆動部が設置され、筐体の底部開口に取付け、固定された台座が備わり、該台座は、三角形に配置された冷水導入孔、お湯導入孔と吐水導孔を備えてなり、台座の頂面に取付け、固定された固定弁体が備わり、それぞれ、台座の冷水導入孔、お湯導入孔と吐水導孔の位置に対応して通じるように、三角形に配置された冷水通過孔、お湯通過孔と吐水通過孔を備えてなり、固定弁体の頂面に配置され、回転移動可能な回転弁体が備わり、該回転弁体は回転弁体の回転移動に応じて、固定弁体の冷水通過孔、お湯通過孔、吐水通過孔の間とは、異なる穴位置を合わせるための流量制御切込部が設けられ、回転弁体と連動するように、回転弁体の頂面に取付け、固定され、そして回転駆動台の内台座の下方に設置された連動台が備わり、該連動台の頂面には、ブレーキ弁棒の下端のトグルヘッドが挿入、揺れ動けるように凹設された受動槽が設けられていることを特徴とする該セラミックバルブ。
【０００９】
本考案の課題を解決しようとする技術特徴として、該セラミックバルブは更に、回転駆動台の内台座底部の片側にある凸部、及び連動台頂面の片側にある凹部を備えてなるオフセット型回転支点部が備わり、該凸部は可動で、凹部内に嵌め込まれるように設けられ、該オフセット型回転支点部は、ブレーキ弁棒の所定の中間位置の揺動方向に垂直な延長線の片側に設置、該オフセット型回転支点部の位置を、固定弁体の冷水通過孔の位置と同じ側にするように設けられていることを特徴とする。
【００１０】
このようなオリジナルな設計による本考案は背景技術に対して、該ブレーキ弁棒は所定の中間位置より、垂直角度の止水モードから、傾斜角度の給水モードへ揺動していく間、ブレーキ弁棒下端のトグルヘッドが直線状に受動槽を移動するように設けられ、そこで、連動台が回転弁体と共に、該オフセット型回転支点部を回転支点としてカーブ状に移動し、流量制御切込部が冷水通過孔のみに通じるように導かれ、中間位置で冷水供給が可能になる。
【考案の効果】
【００１１】
本考案に掲示された“中間位置で冷水供給可能なセラミックバルブ”にあっては、セラミックバルブは更に、該オフセット型回転支点部が設けられているというオリジナルな構造形態、技術特徴を有するもので、本考案は背景技術に述べられた従来の構造に対して、セラミックバルブのブレーキ弁棒は所定の中間位置より、垂直角度の止水モードから、傾斜角度の給水モードへ揺動していく間、ブレーキ弁棒下端のトグルヘッドが直線状に受動槽を移動するように設けられ、そこで、連動台が回転弁体と共に、該オフセット型回転支点部を回転支点としてカーブ状に移動し、流量制御切込部が冷水通過孔のみに通じるように導かれ、中間位置で冷水供給が可能になり、本考案は更に、熱傷防止、安全性を配慮した行き届いたもので、実用性と進歩性がある。
【００１２】
上述した実施例に掲示されたのは、本考案を具体的に説明するために用いられる内容であり、文の中で専門用語で説明してきたが、それを以て、本考案の実用新案登録請求の範囲を制限してはならないものとし、この分野が分かる者は、本考案のコンセプトや考えを理解して、それらの変更や改造を行って、それと同等な効果を得たとしても、それらの変更や改造は全て、後述の実用新案登録請求の範囲に含まれるものとする。
【図面の簡単な説明】
【００１３】
【図１】本考案の好適な実施例の組立立体図。
【図２】本考案の好適な実施例の分解立体図。
【図３】本考案の局所部品を他方の角度から見た立体図。
【図４】本考案の好適な実施例の組立断面図。
【図５】本考案の好適な実施例を他方の角度から見た組立断面図。
【図６】本考案のブレーキ弁棒が垂直になったときの正面図。
【図７】本考案のブレーキ弁棒が垂直になったときの側面図。
【図８】図６、図７の形態にある回転弁体イメージ。
【図９】図６、図７の形態にある流量制御切込部イメージ。
【図１０】本考案のブレーキ弁棒が傾斜になったときの上面図。
【図１１】本考案のブレーキ弁棒が傾斜になったときの側面図。
【図１２】図１０、図１１に対応する回転弁体の状態図。
【図１３】図１０、図１１に対応する流量制御切込部の状態図。
【考案を実施するための形態】
【００１４】
図１〜図５に示すのは、本考案の中間位置で冷水供給可能なセラミックバルブの好適な実施例であり、これらの実施例は説明に用いられるのみで、実用新案登録請求の際、その構造に制限されないものとする。該セラミックバルブＡは、中空円筒状で、頂部開口１１と底部開口１２を備えてなり、該頂部開口１１に縮径リング１３が設置される筐体１０、内台座２１及び内台座２１にある対称した縮径状の凸管部２２を備えてなる回転駆動台２０が備わり、該内台座２１は、筐体１０内部にある頂部開口１１の一端に近接するように設けられ、凸管部２２は、上へと筐体１０の縮径リング１３を通って回転できるように設けられ、回転駆動台２０の中央には、貫通した縦向き弁棒収納孔２３があり、回転駆動台２０の弁棒収納孔２３に取り付けられた回転支軸３１によって、限定位置で縦向きに揺れ動くように設けられるブレーキ弁棒３０が備わり、該ブレーキ弁棒３０の下端には、回転駆動台２０の内台座２１の下方に突き出されたトグルヘッド３２、ブレーキ弁棒３０の上端には、回転駆動台２０の凸管部２２に突き出されたハンドル駆動部３３が設置され、筐体１０の底部開口１２に取付け、固定された台座４０が備わり、該台座４０は、三角形に配置された冷水導入孔４１、お湯導入孔４２と吐水導孔４３を備えてなり、台座４０の頂面に取付け、固定された固定弁体５０が備わり、それぞれ、台座４０の冷水導入孔４１、お湯導入孔４２と吐水導孔４３の位置に対応して通じるように、三角形に配置された冷水通過孔５１、お湯通過孔５２と吐水通過孔５３を備えてなり、固定弁体５０の頂面に配置され、回転移動可能な回転弁体６０が備わり、該回転弁体６０は回転弁体６０の回転移動に応じて、固定弁体５０の冷水通過孔５１、お湯通過孔５２、吐水通過孔５３の間とは、異なる穴位置を合わせるための流量制御切込部６１が設けられ、回転弁体６０と連動するように、回転弁体６０の頂面に取付け、固定され、そして回転駆動台２０の内台座２１下方に設置された連動台７０が備わり、該連動台７０の頂面には、ブレーキ弁棒３０下端のトグルヘッド３２が挿入、揺れ動けるように凹設された受動槽７１が設けられ、回転駆動台２０の内台座２１底部の片側にある凸部８１、及び連動台７０頂面の片側にある凹部８２を備えてなるオフセット型回転支点部８０が備わり、該凸部８１は可動で、凹部８２内に嵌め込まれるように設けられており、該オフセット型回転支点部８０は、ブレーキ弁棒３０の所定の中間位置の揺動方向（図６、図８のＬ１）に垂直な延長線の片側（図８のＬ２）に設置、該オフセット型回転支点部８０の位置を、固定弁体５０の冷水通過孔５１の位置と同じ側にするように設けられていることを特徴とする。
【００１５】
上述した構造、組立の設計により、該ブレーキ弁棒３０は所定の中間位置より、垂直角度の止水モードから傾斜角度の給水モードへ揺動していく間（図７、図１１の相違点を参照）、ブレーキ弁棒３０下端のトグルヘッド３２が直線状に受動槽７１を移動するように設けられ（図８、図１２のトグルヘッド３２の位置変化に示す通り）、そこで、連動台７０が回転弁体６０と共に、該オフセット型回転支点部８０を回転支点としてカーブ状に移動し（図１２の矢印Ｌ３）、流量制御切込部６１が冷水通過孔５１と吐水通過孔５３のみ通じるように導かれ（図１３）、中間位置で冷水供給が可能になる。
【００１６】
該ブレーキ弁棒３０は中間位置より、垂直角度から傾斜角度へ揺動していく間（図６、図１０）、ブレーキ弁棒３０下端のトグルヘッド３２が筐体の中心点から離れたところ（図１２のＢ）から、筐体の中心点へと近づき、直線状に移動するように設けられ（図１２の矢印Ｌ４）、それによって、該回転弁体６０の作動をオフセット型回転支点部８０の設置に合わせて、好適なカーブ状のルートを確実に移動させるように設けられる。
【００１７】
図第２、図３に示すように、連動台７０に設置される該オフセット型回転支点部８０の凹部８２は矩形槽で、内台座２１に設置される凸部８１は三角形、円形、矩形、多角形のバンプのいずれかの一つに設けられてもよく、本実施例はどれも、対称した二斜面部８１３を有する三角形のバンプに設けられている。
【００１８】
図２〜図４に示すように、該回転弁体６０にある流量制御切込部６１は、上下に貫通した穴で、該連動台７０底面に対応するための回転弁体６０の流量制御切込部６１外周に設けられた止水リング９０と回転弁体６０との間を密閉させ、流量制御切込部６１に止水でかつ漏えい防止機能を持たせるように設けられる。
【００１９】
図３、図４に示すように、該連動台７０底面に対応するための回転弁体６０にある流量制御切込部６１の一箇所には更に、下向きに伸された一本または一本以上ある、水流による衝撃音を低減させるための整流リブ６１５が設けられており、一つ説明を付け加えておくのは、前の段落に述べられたように、該回転弁体６０の流量制御切込部６１は上下に貫通した穴に設けられ、そして、この段落に述べられたように、該連動台７０底面には、流量制御切込部６１へ突き出された整流リブ６１５が設けられており、このような構造設計は、該整流リブ６１５が作りやすく、実施やすいというメリットがあり、従来の構造では通常、回転弁体６０にあるブランド切込部に、整流用リブ体が設置されるが、セラミック製の回転弁体６０が硬いので、作りにくく、実施するにも制限されるということがある。本実施例の整流リブ６１５は、連動台７０から伸ばされるように設けられ、連動台７０は通常、プラスチックで作られるということで、整流リブ６１５が作りやすくなり、実施可能な形態は多様で、制限されないものである。
【符号の説明】
【００２０】
Ａ        セラミックバルブ
１０      筐体
１１      頂部開口
１２      底部開口
１３      縮径リング
２０      回転駆動台
２１      内台座
２２      凸管部
２３      弁棒収納孔
３０      ブレーキ弁棒
３１      回転支軸
３２      トグルヘッド
３３      ハンドル駆動部
４０      台座
４１      冷水導入孔
４２      お湯導入孔
４３      吐水導孔
５０      固定弁体
５１      冷水通過孔
５２      お湯通過孔
５３      吐水通過孔
６０      回転弁体
６１      流量制御切込部
６１５      整流リブ
７０        連動台
７１        受動槽
８０        オフセット型回転支点部
８１        凸部
８１３      斜面部
８２        凹部
９０        止水リング
【図１】
0003195941.tif 000003
【図２】
0003195941.tif 000004
【図３】
0003195941.tif 000005
【図４】
0003195941.tif 000006
【図５】
0003195941.tif 000007
【図６】
0003195941.tif 000008
【図７】
0003195941.tif 000009
【図８】
0003195941.tif 000010
【図９】
0003195941.tif 000011
【図１０】
0003195941.tif 000012
【図１１】
0003195941.tif 000013
【図１２】
0003195941.tif 000014
【図１３】
0003195941.tif 000015